(57)【要約】      （修正有）【課題】直列したリチウムイオンセルを的確に充電する制御回路を提供する。【解決手段】バッテリを充電するためのシステムは、少なくとも２つのリチウムイオンセルを有するバッテリパックを含む。コントローラは、セル単位ベースで個別にｄＶ／ｄＳＯＣを計算することなく、バッテリパックを全体として表す、計算したｄＶ／ｄＳＯＣに基づいてバッテリパックの充電状態に関する電圧変化レート（ｄＶ／ｄＳＯＣ）を検出する。充電は、ｄＶ／ｄＳＯＣが所定の値に達した時点で終了する。【選択図】図５
2015073429.tif 000002
【特許請求の範囲】
【請求項１】
少なくとも２つのリチウムイオンセルを有するバッテリパックと、
セル単位ベースで個別にｄＶ／ｄＳＯＣを計算することなく、バッテリパックを全体として表す、計算したｄＶ／ｄＳＯＣに基づいてバッテリパックの充電状態に関する電圧変化レート（ｄＶ／ｄＳＯＣ）を検出するコントローラとを備え、
充電は、ｄＶ／ｄＳＯＣが所定の値に達した時点で終了するようにした、バッテリ充電システム。
【請求項２】
バッテリパックは、直列接続された少なくとも２つのリチウムイオンセルからなる請求項２記載のシステム。
【請求項３】
バッテリパックは、ｎシリーズ（ｎＳ）を含むグループからの１つでもよく、ここでｎは少なくとも２で、せいぜい１０である請求項１記載のシステム。
【請求項４】
コントローラは、充電を終了させるマイクロプロセッサを含む請求項１記載のシステム。
【請求項５】
コントローラは、アナログ回路を含む請求項１記載のシステム。
【請求項６】
マイクロプロセッサは、バッテリマネージャである請求項４記載のシステム。
【請求項７】
ｄＶ／ｄＳＯＣは、少なくとも１つのセルが、他のセルよりも前に所定値に到達することを示すものである請求項１記載のシステム。
【請求項８】
コントローラは、バッテリパックの内部コンポーネントの温度を検出するように構成され、温度が所定の閾値を超えた場合、充電を終了させるようにした請求項１記載のシステム。
【請求項９】
温度は、サーミスタによって検出される請求項８記載のシステム。
【請求項１０】
少なくとも２つのリチウムイオンセルは、ＬｉＦｅ１−ｙＭｎｙＰＯ４（ｙは、Ｍｎの種々の濃度を表す）を含む請求項１記載のシステム。
【請求項１１】
リチウムイオンセルを含むバッテリパックと、
セル単位ベースで個別にｄＶ／ｄＳＯＣを計算することなく、バッテリパックを全体として表すｄＶ／ｄＳＯＣの計算に基づいて、バッテリパックの充電状態に関するバッテリパックの電圧変化レート（ｄＶ／ｄＳＯＣ）を決定する回路とを備え、
所定のｄＶ／ｄＳＯＣに到達した場合、バッテリパックの充電が終了するようにしたバッテリ充電器。
【請求項１２】
充電器は、ＡＣ電源またはＤＣ電源からの入力電圧を許容できる安定化スイッチング電源を含む請求項１１記載のバッテリ充電器。
【請求項１３】
電源は、マイクロプロセッサによって制御される請求項１２記載のバッテリ充電器。
【請求項１４】
マイクロプロセッサは、バッテリパックの電圧および電流の測定値に基づいて充電を終了させるようにした請求項１３記載のバッテリ充電器。
【請求項１５】
バッテリパックおよび充電器の少なくとも１つの温度を監視する温度センシング回路をさらに備える請求項１１記載のバッテリ充電器。
【請求項１６】
電圧センシング回路は、デジタルまたはアナログのコンバータ回路の少なくとも１つを含む請求項１３記載のバッテリ充電器。
【請求項１７】
マイクロプロセッサは、バッテリパックの直列電圧を全体として決定する電圧センシング回路と接続される請求項１３記載のバッテリ充電器。
【請求項１８】
バッテリパックの充電が、少なくとも１つのリチウムイオンセルのｄＶ／ｄＳＯＣが所定レートを超えた状態でマイクロプロセッサによって終了される請求項１７記載のバッテリ充電器。
【請求項１９】
バッテリパックの温度が所定値を超えた時点で、バッテリパックの充電を終了させる温度センシング回路をさらに備える請求項１７記載のバッテリ充電器。
【請求項２０】
少なくとも２つ又はそれ以上のリチウムイオンバッテリセルのバッテリパックを用意することと、
バッテリパック全体を表す、計算したｄＶ／ｄＳＯＣに基づいて、充電状態に関する電圧変化レート（ｄＶ／ｄＳＯＣ）を検出することと、
検出したｄＶ／ｄＳＯＣを、バッテリパックに関連した所定のｄＶ／ｄＳＯＣと比較することと、
比較に基づいてバッテリパックの充電を終了させることと、を含むバッテリパック充電方法。
【請求項２１】
検出したｄＶ／ｄＳＯＣが、所定のｄＶ／ｄＳＯＣと等しいかこれを超えた場合、バッテリパック充電の終了が生ずる請求項２０記載の方法。
【請求項２２】
バッテリパックの温度を検出することをさらに含む請求項２０記載の方法。
【請求項２３】
温度測定値に基づいて、充電が終了するようにした請求項２２記載の方法。
【発明の詳細な説明】
【技術分野】
【０００１】
（関連出願）
本願は、米国仮(provisional)出願（番号６１／０４０９２６、２００８年３月３１日出願）の優先権を主張する。
【０００２】
本発明は、本発明と合致する実施形態は、直列群(series string)または「パック」のバッテリセルまたはキャパシタセルの充電状態（ＳＯＣ: state of charge）または放電状態（ＳＯＤ: state of discharge）の分岐(divergence)を検出するための装置および方法に関するものであり、特に、リチウムイオンバッテリセル群におけるＳＯＣおよびＳＯＤの分岐を検出するための装置および方法に関する。
【背景技術】
【０００３】
現代のポータブル電子機器は、電源として、ほぼ専ら充電式Ｌｉイオンバッテリに依存している。このことは、エネルギー蓄積能力、パワー能力、サイクル寿命および安全特性を向上し、コストを削減するための持続した努力を促進する。リチウムイオンバッテリまたはリチウムイオンセルとは、リチウム金属より高いリチウム化学ポテンシャルで相当量のリチウムを格納できるアノードを有する充電式バッテリを指す。
【０００４】
例として、直列接続した多数のリチウムセルで形成されたバッテリパックを考える。リチウムバッテリパックの寿命は、そのセルの１つについての電圧が、放電中に所定の閾値（例えば、１．５Ｖ）を下回ったり、または充電中に所定の閾値（例えば、３．９Ｖ）を上回ると劣化する。このため先行技術は、伝統的にセル電圧を注意深く監視し、セル電圧を特定の範囲内に維持する対策を採っている。
【０００５】
問題をより複雑にしているのは、リチウムセル内の製造欠陥により、他の見かけ上同じセルと同量の電荷を保持していない幾つかのセルが生ずることである。このため多数のリチウムセルが直列接続されている場合、欠陥セルが他のセルより急速に放電し、放電中に上述した下閾値に急速に到達する。同様に、こうした欠陥セルはしばしば、充電中に上閾値に達する最初のものになる。こうしたセル間の不均等は、動作中に電荷が再び均等にならない限り、バッテリパックの有効な動作範囲を制限する。
【０００６】
リチウムイオンバッテリの内部では、セルの充電状態が変化すると、セル全体を移動する多数のイオンが存在する。先行技術で知られているように、例えば、イオンは、格子構造の特定の場所にフルＳＯＣ条件で格納される。ＳＯＣが消耗し、またはセルがエネルギーを放電するとともに、セル内のイオンはセルの別の場所にある別の格子構造へ移動する。電子の流れは、セル内のイオンの移動を可能にする負荷によって生ずる。リチウムイオンセルの直列配置、例えば、バッテリパックにおいて、イオンの移動は個々のセル内で生ずる。バッテリパック内の個々のセルが消耗し、即ち、放電格子構造へ移動するイオンが無くなると、電圧がそのセルで増大し、セルまたはバッテリパックにとって回復できない損害を生じさせる可能性がある。
【０００７】
リチウムイオンセルは、ニッケル水素セルまたはニッケルカドミウムセルとは異なって、自然に均等化されるものでない。従って、リチウムイオンセルを含むバッテリパックのＳＯＣ管理は、従来、個々のセルでのＳＯＣを明らかにすることを必要とする。先行技術のシステムは、各セルがほぼ同量のイオンを有することを確保するためのバランス機構を含む。代替として、各セルがＳＯＣおよびＳＯＤに同時に到達するような同一のセルを持つバッテリを細心の注意で製造する試みがなされている。しかしながら、先行技術の手法は、製造者が個々のセルの正確な品質管理および監視を確保するための追加コストを負担することになるため、不都合である。
【０００８】
リチウムイオンバッテリまたはキャパシタ、あるいは容量性でファラデー性の保存を含むハイブリッドまたは「非対称(asymmetric)」デバイス等の他の電気化学発電装置が直列群に加わって、単一セルが供給できるものより高い電圧を得る場合、直列群の繰り返し充電および放電により、セルが「不均等(out of balance)」になり、セルの充電状態は直列群に沿って変化する。不均等条件は、セルの繰り返し時の容量減衰レートでの差、あるいは、他の原因のうち、容量減衰レートでの差をもたらすインピーダンスの変化から生じ得る。直列群におけるセルが直列群の組み立て時に容量または充電状態が変化しており、直列群はそもそも完全に均等化されていないことがある。これに限定されないが、動力工具または器具のバッテリ、電気自動車バッテリ、バックアップ電源用バッテリなど、こうしたパックには多くの用途がある。
【発明の概要】
【発明が解決しようとする課題】
【０００９】
ここで説明するような不均等の直列群は、幾つかの理由で望ましくないことがある。直列群の充電時、直列群が特定のピーク電圧に充電される場合、より低い容量またはより高いＳＯＣのセルが過充電されることがあり、セルの放出(venting)または熱散逸または爆発など、パックの初期故障または危険な状況をもたらす。不均等の直列群の放電時にも同じことが生じ得る。極端な場合、不均等パックの放電は、あるセルを、セルの極性が通常使用時の反対になる「逆電圧(voltage reversal)」にすることがある。リチウムイオンセルでは、これにより負側電流コレクタの溶出をもたらすことがあり、故障またはガス発生をもたらし、セルの機械的破裂を生じさせる。不均等の直列群に関連した問題を回避する先行技術の手法は、個々のセル監視および均等化を有することであり、これは追加の制御回路を必要とし、バッテリ構成のコストおよび複雑さを増加させる。
【課題を解決するための手段】
【００１０】
（本発明の例示の実施形態の要旨）
バッテリセルのパックの非限定的な例は、ＬｉＭＰＯ４正極（Ｍは、１つ又はそれ以上のＦｅ，Ｍｎ，ＮｉまたはＣｏを含む）、またはＬｉＭｎ２Ｏ４スピネル正極、またはＬｉ４Ｔｉ５Ｏ１２負極を利用したリチウムイオンセルを含み、これらのタイプの化合物は、フルＳＯＣに達するとセル電圧の急峻な上昇を示したり、フルＳＯＤに達するとセル電圧の急峻な降下を示すリチウム格納材料の典型例である。これはしばしば、広範囲のＳＯＣに渡って一定電圧の存在に起因しており、リチウムが挿入または除去されるときの２相反応から由来する。
【００１１】
本発明の一態様によれば、充電および放電の限界に到達したとき、特定のセル化学反応の電圧の特徴的変化を利用して、１つ又はそれ以上の不均等セルの存在を検出し、こうした入力に基づいて充電または放電プロトコルを調整し、過充電または過放電を回避し、危険な状況を回避し、またはパック寿命を延ばす。
【００１２】
他の態様によれば、電圧の監視および制御は、パック設計またはパック用の充電器に含まれている。充電器は、充電機能および放電機能を実施でき、パック内の直列群セルの状態を診断するための手段として機能し得る。直列接続された複数セルは、２個程度または、１０個または２０個あるいはそれ以上の数程度でもよく、セル数の上限は、何れか単一セルの応答の急峻さと比較して直列電圧が測定可能である精度によって制限される。
【００１３】
一態様によれば、直列群のセルは定電流で充電され、直列群の電圧−時間応答Ｖ（ｔ）、または電圧の１次時間導関数ｄＶ／ｄｔ，または電圧の２次時間導関数ｄ２Ｖ／ｄｔ２が、１つ又はそれ以上の不均等セルの存在を識別するために用いられる。更なる実施形態では、不均等セルの存在および充電終了を検出するために、ｄｖ／ｄＳＯＣが用いられる。
【００１４】
幾つかの場合、充電時または放電時に、セルが複数の電圧ステップを示すことがある。パックの充電または放電の際の途中の電圧で別のステップ発生にもかかわらず、検出機構がこうした場合にも使用できる。例えば、セル化学反応がこうしたステップを本質的に有している場合、パック電圧も特徴的な電圧ステップを示すことになる。絶対パック電圧が、充電（放電）時に一定の電圧を超え（未満）でなければならないという追加の条件を適用することによって、パックが充電の上側（下側）近くにある場合のみ、電流制限動作が適用可能である。
【００１５】
例示の実施形態において、少なくとも２つのリチウムイオンセルを有するバッテリパックを備えたバッテリを充電するためのシステムが提供される。バッテリパックを全体として表すｄＶ／ｄＳＯＣの計算値に基づいて、バッテリパックの充電状態に関する電圧変化レート（ｄＶ／ｄＳＯＣ）を検出するコントローラが提供され、その結果、ｄＶ／ｄＳＯＣが所定の値に到達した場合に充電が終了する。
【００１６】
ある態様によれば、バッテリパックは、直列接続された少なくとも２つのリチウムイオンセルからなる。一態様では、バッテリパックは、ｎシリーズ（ｎＳ）を含むグループからの１つでもよく、ここでｎは少なくとも２で、せいぜい１０である。少なくとも２つのリチウムイオンセルは、ＬｉＦｅ１−ｙＭｎｙＰＯ４を含んでもよく、ｙは、Ｍｎの種々の濃度を表す。
【００１７】
コントローラは、充電を終了させるマイクロプロセッサを含んでもよい。他の態様では、コントローラは、アナログ回路を含む。
【００１８】
更なる例示の態様において、マイクロプロセッサは、充電器内のライトと接続しており、ライトは使用者にバッテリパックの充電状態を示す。
【００１９】
ある態様において、コントローラは、バッテリパックの内部コンポーネントの温度を検出するように構成され、温度が所定の閾値を超えた場合、充電を終了させる。温度は、サーミスタで検出してもよい。
【００２０】
例示の実施形態では、リチウムイオンセルを含むバッテリパックを備えたバッテリ充電器が提供される。バッテリパック全体の単一のｄＶ／ｄＳＯＣの監視に基づいて、バッテリパックの充電状態に関するバッテリパックの電圧変化レート（ｄＶ／ｄＳＯＣ）を決定する回路が提供される。所定のｄＶ／ｄＳＯＣに到達した場合、バッテリパックの充電を終了させるセンシング回路が提供される。
【００２１】
一態様において、充電器は、ＡＣ電源またはＤＣ電源からの入力電圧を許容できる安定化スイッチング電源を含む。
【００２２】
他の態様において、電源は、マイクロプロセッサによって制御される。マイクロプロセッサは、バッテリパックの電圧および電流の測定値に基づいて充電を終了させてもよい。
【００２３】
他の態様において、バッテリパックおよび充電器の少なくとも１つの温度を監視する温度センシング回路が提供される。更なる態様において、電圧センシング回路は、デジタルまたはアナログのコンバータ回路の少なくとも１つを含む。更なる態様において、マイクロプロセッサは、パック内の少なくとも１つのリチウムイオンセルのｄＶ／ｄＳＯＣを決定する電圧センシング回路と接続される。
【００２４】
ある態様において、バッテリパックの充電が、少なくとも１つのリチウムイオンセルのｄＶ／ｄＳＯＣが所定レートを超えた状態でマイクロプロセッサによって終了される。
【００２５】
他の例示の態様において、電圧−容量カーブを「滑らか」にする方法が提供される。これらの場合、バッテリ化学反応が電圧ステップを本質的に有するが、電圧ステップが生ずる容量が変化することがある。非限定的な例として、オリビン(olivine)正極ＬｉＭＰＯ４または、これらのドープまたは変更した組成を考えると、Ｍが複数の遷移金属、例えば、Ｆｅ，Ｍｎ，ＮｉまたはＣｏを含む場合、充電および放電のカーブが明確な電圧ステップを示すことがある。バッテリまたはバッテリパックで特定の組成を用いた場合、放電の際、放電電圧がステップ状の挙動を経験することがあり、バッテリまたはパックが特定の充電状態を通過すると、電圧が比較的急速に降下する。これは、不都合になることがある。バッテリパワーが充電状態に応じて減少し、例えば、動力工具の使用者が、そのパック容量での放電の際、パワー減少を気付くかもしれないからである。
【００２６】
更なる例示の実施形態は、少なくとも２つ又はそれ以上のリチウムイオンバッテリセルのバッテリパックを充電し、バッテリパック全体を表すｄＶ／ｄＳＯＣの計算に基づいて、充電状態に関する電圧変化レート（ｄＶ／ｄＳＯＣ）を検出する方法を提供する。該方法は、検出したｄＶ／ｄＳＯＣを、バッテリパックに関連した所定のｄＶ／ｄＳＯＣと比較し、比較に基づいてバッテリ充電を終了させることをさらに含む。
【００２７】
ある態様において、ｄＶ／ｄＳＯＣの検出は、セルベースでセルのｄＶ／ｄＳＯＣを個別に検出することなく実施する。他の態様において、バッテリパック充電の終了は、検出したｄＶ／ｄＳＯＣが、所定のｄＶ／ｄＳＯＣと等しいか、これを超えた場合に起きる。
【００２８】
更なる態様において、該方法は、バッテリパックの温度を検出し、温度測定値に基づいて充電を終了させることを含む。
【００２９】
追加の態様によれば、急激な電圧ステップを軽減し、より連続的な放電電圧を得るための方法が提供される。例えば、組成ＬｉＦｅ１−ｙＭｎｙＰＯ４を考えると、Ｍｎ量、ｙが増加すると、セル容量のより大きな割合が、より高い電圧の平坦域(plateau)（〜４．０Ｖ）に位置し、より小さな割合がより低い電圧の平坦域（〜３．４５Ｖ）に位置する（電圧はＬｉ／Ｌｉ＋に対して測定される）。従って、単一組成ｙが、ｙの値で決定される容量において、比較的急峻な電圧ステップダウンを有することがある。放電の際、電圧を「滑らか」にするために、電極およびセルを製造する場合、ｙが変化したパウダーを混合させる。ｙの変化は、故意に導入した「異質(inhomogeneity)」によって単一の焼成パウダーで生産してもよく、その結果、正極材料の粒子がｙについて変化する。あるいは、それぞれ単一のｙ値を有する均質なパウダーを混合して電極に使用してもよい。例えば、ｙ＝０．６，０．５，０．４のパウダーを別々に合成し、混合してもよい。最後に、それぞれ異なるｙ値を有する複数のセルを用意し、パック内で一緒に使用して、滑らかな電圧応答を提供するようにしてもよい。電圧応答の円滑化は、高い放電レートの際に特に有効である。
【図面の簡単な説明】
【００３０】
本発明の非限定的な実施形態の他の態様は、添付図面に関連した下記の説明から明らかになるであろう。
【００３１】
【図１ａ】本発明の例示の態様に従って、〜８５％ＳＯＣからフルＳＯＣで充電した、均等化したバッテリパックを示すグラフである。
【図１ｂ】本発明の例示の態様に従って、〜８５％ＳＯＣからフルＳＯＣで充電した、均等化したバッテリパックを示すグラフである。
【図２ａ】本発明の例示の態様に従って、１つのセルが９０％ＳＯＣ、１つのセルが８５％ＳＯＣ、３つのセルが８０％ＳＯＣの不均等バッテリパックを示すグラフであり、全体バッテリパック電圧および個々のセル電圧を示す。
【図２ｂ】本発明の例示の態様に従って、１つのセルが９０％ＳＯＣ、１つのセルが８５％ＳＯＣ、３つのセルが８０％ＳＯＣの不均等バッテリパックを示すグラフであり、個々のセル電圧を示す。
【図３ａ】本発明の例示の態様に従って、１つのセルが９０％ＳＯＣ、４つのセルが８０％ＳＯＣの不均等バッテリパックを示すグラフであり、全体バッテリパック電圧および個々のセル電圧を示す。
【図３ｂ】本発明の例示の態様に従って、１つのセルが９０％ＳＯＣ、４つのセルが８０％ＳＯＣの不均等バッテリパックを示すグラフであり、個々のセル電圧を示す。
【図４】本発明の例示の態様に従って、バッテリパックおよびバッテリ充電器を示す概略図である。
【図５】本発明の例示の態様に従って、バッテリパックおよび個々のセルについて、時間に関する充電電圧および電流を示すグラフである。
【発明を実施するための形態】
【００３２】
本発明の例示的で非限定的な実施形態は、上述した不都合および他の不都合を克服している。また、本発明は、上述した不都合および他の不都合を克服することを要求されるものではなく、本発明の例示的で非限定的な実施形態は、不都合の何れもを克服しないこともある。
【００３３】
本発明と合致した例示の実施形態は、リチウムイオンバッテリのＳＯＣおよびＳＯＤを監視する装置および方法を提供する。一実施形態では、個々のセル電圧を監視して、ＳＯＣおよびＳＯＤを検出するために、バッテリパック内の各セルについて別個のハードウエア接続は必要でない。個々のセルが過充電されることなく、充分に充電されたバッテリを提供するように、バッテリパック電圧が監視される。従って、先行技術のリチウムイオンバッテリと異なり、過充電または過放電に接近した状態を決定するために、充電器は各セルについて別個の監視ハードウエアを設ける必要がない。充電器は、バッテリパック内の少なくとも１つのセルが、バッテリパック全体についてｄＶ／ｄｔまたはｄＶ／ｄＳＯＣの監視をベースとした閾値に到達したことに基づいて、充電を終了させてもよい。例えば、バッテリパック全体を表す１つのｄＶ／ｄｔまたはｄＶ／ｄＳＯＣが監視され、バッテリパック全体としての充電レートを提供する。
【００３４】
図１ａは、５個のＡＰＲ  Ｎａｎｏｐｈｏｓｐｈａｔｅセル（５ｓ１ｐ構成）直列群を含むよく均等化されたパックの充電電圧Ｖ（ｔ）、５個の個別セルの電圧応答、およびパック電圧の導関数ｄＶ／ｄｔを示す。パックは、定電流１．５Ａで充電し、最初の充電後、各セルは４．２Ｖを示し、そしてセルを直列に組み合わせる前に各セルを８５％ＳＯＣまで放電した。図１ｂは、個々のセル電圧を拡大スケールで示したもので、セルはこれらの電圧−時間応答に極めてよく整合しており、この特定のバッテリ化学反応は、フル充電に接近するまで比較的一定の電圧を示すことが判る。バッテリパック電圧、個々のセル電圧、および時間に対する電圧は、フルＳＯＣ状態に到達する際、急峻に上昇することが観察される。測定値のこうした上昇は、個々のセル内のイオンを元の完全充電状態に移動させるのに必要なより多くのエネルギーの結果として発生し、充分なＳＯＣを決定するために使用できる。図はＳＯＣを表しているが、開示した実施形態は、ＳＯＤを監視するのにも同様に適用可能であることは理解されよう。図１ａと図１ｂは、ＳＯＣの百分率に対するｄＶ／ｄＳＯＣも示している。
【００３５】
図２ａと図２ｂでは、１つのセルが９０％ＳＯＣ、１つのセルが８５％ＳＯＣ、３つのセルが８０％ＳＯＣである不均等パックについて、対応するデータを示す。図３ａと図３ｂでは、１つのセルが他の４つとは不均等であって、９０％ＳＯＣのものと、他の４つが８０％ＳＯＣである不均等パックについて、対応するデータを示す。図２ａ〜図３ｂは、ＳＯＣの百分率に対するｄＶ／ｄＳＯＣも示している。図２ａ〜図３ｂは、２つのセルが他の３つとは不均等であって、完全充電状態により速く到達する直列群を表している。これは、他の３つに対して２つのセルのＳＯＣのドリフトに起因していると思われる。容量のドリフトまたは損失は、リチウムイオンセルの寿命に渡って自然に発生し得る。例えば、リチウムイオンセルは、セル間で変動する温度条件の結果に起因してイオンを失うことがある。図１ａ〜図３ｂは、説明目的のための個別の電圧を参照している。本発明の例示の実施形態は、後述のように、個々のセルについて別々に電圧を計算していない。
【００３６】
本発明の例示の態様によれば、充電状態に対するパック電圧の充電レートｄＶ／ｄＳＯＣが高い精度および正確さで測定可能であり、何れか１つのセルがフルＳＯＣに接近する時点を決定するために使用できる。さらに、パックｄＶ／ｄＳＯＣの限界値が、バッテリパックが完全に充電される時点を決定するために使用できる。例えば、５ｓ１ｐ直列群のＡＰＲセルは、ｄＶ／ｄｔが約０．００８Ｖ／ｓｅｃより大きい充電終期のカットオフを用いて充電できる。このカットオフ値を用いて、セルが不均等であっても、パックを完全に充電し、セルの何れかが過充電状態になるのを防止できるようになる。同様に、ｄＶ／ｄＳＯＣを監視する場合、所定のカットオフが提供されるであろう。
【００３７】
他の例示の態様において、ある制限値を超えたｄＶ／ｄＳＯＣは、少なくとも１つのセルがその充電限界に達していることを示している。例示の検出方法は、ｄＶ／ｄＳＯＣがある値ｘより大きい時点を検出することを含み、少なくとも１つのセルがその充電限界に達していることを示している。ある値ｘは、１つのセルで生じたｄＶ／ｄＳＯＣが閾値に到達した時点を検出するのに充分なある範囲の値を包含するとともに、複数セルが、増加したｄＶ／ｄＳＯＣを同時に得るシナリオを包含する。例として、ｄＶ／ｄＳＯＣ閾値は、９０％またはそれ以上のＳＯＣをベースとしてもよい。１つより多くのセルがｄＶ／ｄＳＯＣの充分な増加を有する場合、バッテリパックのＳＯＣは、より速く立ち上がることになる。１つのセルだけがｄＶ／ｄＳＯＣの充分な増加を有する場合、バッテリパックのＳＯＣは立ち上がるが、急激なものではない。例示の実施形態は、１つのセルが閾値に到達したことを表すｄＶ／ｄＳＯＣの増加を検出する閾値が設けられ、その結果、充電が停止したり、あるいは、ＳＯＤが検出された場合には放電が停止する。これは、１つのセルが過充電したり、過放電や損傷したりするのを防止する。
【００３８】
パックをより完全に充電するために、Ｖ，ｄＶ／ｄｔおよびｄ２Ｖ／ｄｔ２のより複雑な関数が、充電を終了させる時点を検出するために使用できると考えられる。また、定電流条件下では、ｄＶ／ｄｔはｄＶ／ｄＳＯＣと類似しているとともに、使用条件下で電流が変動することが可能である。ｄＶ／ｄＳＯＣは、電流を測定し、時間積分することによって決定でき、ＳＯＣおよびｄＶ／ｄＳＯＣを正確に決定できる。定電流の場合、ｄＶ／ｄｔはｄＶ／ｄＳＯＣに比例する。電流が変化する場合、ｄｖ／ｄｔ＝（ｄｉ／ｄｔ）×Ｒ＋ｄｖ／ｄＳＯＣとなる。１つの例示の実施形態では、ｄｉ／ｄｔ＝ゼロであることが判っている場合、ｄＶ／ｄｔが使用できる。ｄｖ／ｄＳＯＣとｄｖ／ｄｔの関係は、ｄｖ／ｄｔ＝ｉ×（ｄｖ／ｄＳＯＣ）である。高いＳＯＣでは、ｄｖ／ｄＳＯＣは正の方向に素早く変化し、低いＳＯＣでは、ｄｖ／ｄＳＯＣは負の方向に素早く変化する。
【００３９】
本発明の例示の実施形態によれば、バッテリ充電器製品は、ＡＣ電源またはＤＣ電源などの電源からの入力電圧を許容でき、１つ又はそれ以上のバッテリセル、例えば、Ｎａｎｏｐｈｏｓｐｈａｔｅセルの直列群を充電できる安定化スイッチング電源を含む。電源は、マイクロプロセッサによって制御され、これは充電器（及び／又はバッテリパック）内部の電気的条件および温度条件を監視し、故障状態を検出し、充電器状態および充電進行を表示する。マイクロプロセッサは、パックの直列電圧および電流だけを監視して、再充電中に充電を終了させる時点を決定する。
【００４０】
充電器は、人間の介在が可能な限り少ないように安易な操作に設計され、ｎＳ（シリーズ）パックを充電するのに充分な汎用的であり、ｎは１より大きく、例えば、１〜１００であり、１〜２０でもよく、または１〜１０でもよい。例えば、多くの動力工具パックは、２ｓ，５ｓ，６ｓまたは１０ｓの直列群を利用している。充電器は、最初にメイン出力端子でのバッテリ電圧を検知する。それは、小さな電気負荷をバッテリに適用し、１）必要に応じてパックへの最大充電を低減し、２）バッテリのインピーダンスを決定する。そして、パックを、安定レートで充電電流を保持する、僅かに高い電圧に駆動する。それが充電終期条件、例えば、ｄＶ／ｄｔまたはｄｖ／ｄＳＯＣのレートの急な増加を検出した場合、再充電サイクルを終了する。
【００４１】
表示ライトが充電処理中に点灯して、充電中、充電完了およびエラーモードを示すようにしてもよい。さらに、充電器は、温度および電圧を監視し、本体およびパックへの損傷を防止するための動作を行う。入力は、標準の電源コンセント、例えば、ＡＣソケットと接続してもよい。バッテリは、パックを放電するために用いられる同じ接続を通じて出力と接続してもよい（即ち、デバイスのカスタム設計パワー接続）。本発明の例示の態様において、温度センサは、パック内のセルの近似温度を監視するために使用してもよい。
【００４２】
図４は、バッテリおよび任意の温度センシングの充電接続を示す。充電器４００は、ＡＣまたはＤＣの電源４３０と接続される。これにより、充電器４００が複数のセルを含むバッテリ群(string)４１０を充電することが可能になる。充電器４００は、温度センサ４２０を含んでもよい。温度センサ４２０は、バッテリ群４１０または充電器４００の温度を検知する能力を有する。センサ４２０は、充電器４００に対して、所定の最高温度に到達したときに充電を終了させること示す。充電器４００には、マイクロプロセッサ４５０も含まれており、これは、電圧を測定するセンサ４７０からの入力および電流測定値を提供するセンサ４９０からの入力に基づいて、バッテリパックを全体として表すｄＶ／ｄＳＯＣの測定に基づいてバッテリパックの充電状態に関する電圧変化レート（ｄＶ／ｄＳＯＣ）を計算する。測定値は、バッテリパック全体を表すものであり、個々のセルについてではない。例えば、例示の実施形態では、ハードウエアまたは他の手段が、各セルについてｄＶ／ｄＳＯＣを別々に監視するために、個々のセルについて設けられていない。その代わりに、バッテリ群４１０内の全てのセルを全体として表す１つのｄＶ／ｄＳＯＣ値が計算される。センサ４９０は、バッテリに流れる電流値をマイクロプロセッサ４５０で読み取り可能な信号に変換する。センサ４９０は、これに限定されないが、バッテリに流れる電流を読み取るように位置決めされたホール効果センサまたは分流器とすることができる。この電流値は、ｄｖ／ｄＳＯＣ計算を決定するために用いられる。
【００４３】
例示の実施形態では、マイクロプロセッサを含むバッテリマネージャがｄｖ／ｄＳＯＣを計算するのに関与する。バッテリマネージャは、所定のｄｖ／ｄＳＯＣに到達した場合、バッテリパックの充電または放電を停止することを補助装置に指示する。例示の実施形態では、ミリ秒ごとに、充電器のマイクロプロセッサ４５０は、充電器の出力電圧および電流をサンプリングする。充電器およびパック内の温度は、例えば、２００ミリ秒ごとにサンプリング可能である。充電器は、通常、測定パック電圧を僅かに上回り、パック電流を固定の所定レート（例えば、１Ｃ）に駆動するのに充分高い充電電圧を出力する。しかしながら、バッテリ群内のセルの１つが、所定のＳＯＣ閾値範囲以上になったり、１００％ＳＯＣ、または他の所定の基準値になったことを検知した場合、パックへの電圧および電流の供給を停止することになる。
【００４４】
パック内の何れかの単一の直列セルのｄＶ／ｄＳＯＣは、充電サイクル終期近くで上昇するため、パック全体のｄＶ／ｄＳＯＣも上昇するようになる。従って、直列パック電圧のｄＶ／ｄＳＯＣを測定することによって充電条件の終期が検出でき、各セルごとにｄＶ／ｄＳＯＣを個別に測定することは必要でない。図５を参照して、単一セルがその最大ＳＯＣに接近すると、ｄＶ／ｄＳＯＣのレートは急に上昇する。
【００４５】
ｄＶ／ｄｔのレートは、固定の時間間隔で電圧サンプルを取って、引き算および除算の演算を行うことによって測定できる。初期時間ｔ１での第１電圧ｖ１、第２時間ｔ２での第２電圧ｖ２をサンプリングする。ｄＶ／ｄｔは、（ｖ２−ｖ１）／（ｔ２−ｔ１）に等しくなる。ｄＶ／ｄＳＯＣを計算するには、初期時間ｔ１での第１電圧ｖ１と第１電流ｉ１、第２時間ｔ２での第２電圧ｖ２と第２電流ｉ２をサンプリングする。ｄＶ／ｄＳＯＣは、（ｉ１＋ｉ２）／２で除算したｄＶ／ｄｔに等しくなる。電圧サンプルが、内部（本体）または外部のアナログデジタル変換回路が接続されたマイクロプロセッサ４５０によって取得できる。マイクロプロセッサ４５０は、サンプリング電圧のデジタル数値表現でｄＶ／ｄＳＯＣを計算する。ｄＶ／ｄＳＯＣのレートが所定の閾値より高いと計算された場合、マイクロプロセッサは充電動作を終了できる。他の例示の態様によれば、これは、キャパシタまたはインダクタ、抵抗器、アナログ調整回路の組合せを用いてアナログ回路で行って、微分を実行することも可能である。アナログ回路は、ピーク電圧のｄｖ／ｄＳＯＣに比例した信号を出力する。この信号は、固定した基準電圧と比較され、基準電圧を超えた場合、充電終期条件を起動する。充電器のマイクロプロセッサは、バッテリへの充電を供給しているか否かに応じて、「充電中」ライトと「充電済」ライトを点灯する。
【００４６】
例示の実施形態において、充電器は、１秒に５回、最も熱いパワーコンポーネント近傍内側のポイントを監視する。この温度が予め設定した限界を超えると、充電器は、温度が限界未満に低下するまで出力電流を停止する。充電器は、入力電圧を監視し、入力電圧が範囲外になると、充電電流を遮断する。充電器は、充電終期変曲点についてｄｖ／ｄＳＯＣを監視し、その条件が検出されると、充電を終了させることになる。しかしながら、何らかの理由で出力電圧が制御不能になって安全動作点（最大定格バッテリ電圧）を超えて上昇すると、充電器は出力電流を遮断する。
【００４７】
代替の実施形態では、充電器は、必要に応じて、サーミスタまたは同様な素子を用いてバッテリパック内の温度を測定し、パック内の高温を検出する。この高温条件により、充電器はその充電器電流も遮断することになる。
【００４８】
例示の実施形態の上記記載は、当業者が本発明を製作し使用可能なように提示されている。さらに、これらの実施形態への種々の変更が、当業者にとって直ちに明白であろう。ここで規定した包括的な原理および個別の例は、発明才能の使用なしで他の実施形態に適用できるであろう。従って、本発明は、ここで説明した実施形態に限定されることを意図しておらず、請求項の限定およびこれの等価物によって規定される最も広い範囲が付与されることになる。
【図１ａ】
2015073429.tif 000003
【図１ｂ】
2015073429.tif 000004
【図２ａ】
2015073429.tif 000005
【図２ｂ】
2015073429.tif 000006
【図３ａ】
2015073429.tif 000007
【図３ｂ】
2015073429.tif 000008
【図４】
2015073429.tif 000009
【図５】
2015073429.tif 000010
【手続補正書】
【提出日】平成26年10月21日(2014.10.21)
【手続補正１】
【補正対象書類名】特許請求の範囲
【補正対象項目名】全文
【補正方法】変更
【補正の内容】
【特許請求の範囲】
【請求項１】
少なくとも第１リチウムイオンセルおよび第２リチウムイオンセルを有するバッテリパックであって、充電状態に関して関連する全体的な電圧変化レート（ｄＶ／ｄＳＯＣ）を有し、第１リチウムイオンセルは、関連する第１のｄＶ／ｄＳＯＣを有し、第２リチウムイオンセルは、関連する第２のｄＶ／ｄＳＯＣを有する、バッテリパックと、
セル単位ベースで個別に第１のｄＶ／ｄＳＯＣおよび第２のｄＶ／ｄＳＯＣを計算することなく、バッテリパックを全体として表す、計算したｄＶ／ｄＳＯＣに基づいてバッテリパックと関連する全体的なｄＶ／ｄＳＯＣを検出するように動作するコントローラを含むバッテリ充電器であって、バッテリパックの充電を少なくとも実施するように動作するバッテリ充電器とを備え、
バッテリ充電器はさらに、バッテリパックの全体的なｄＶ／ｄＳＯＣが所定の値に達した時点で、バッテリパックの充電を終了させるように動作し、
所定の値は、第１リチウムイオンセルと関連する第１のｄＶ／ｄＳＯＣおよび第２リチウムイオンセルと関連する第２のｄＶ／ｄＳＯＣのうちの１つ以上が、所定のレートを超えたことを示すものである、バッテリ充電システム。
【請求項２】
バッテリパックは、直列接続された少なくとも第１および第２リチウムイオンセルからなる請求項１記載のシステム。
【請求項３】
バッテリパックは、ｎシリーズ（ｎＳ）を含むグループからの１つでもよく、ここでｎは少なくとも２で、せいぜい１０である請求項１記載のシステム。
【請求項４】
コントローラは、充電を終了させるマイクロプロセッサを含む請求項１記載のシステム。
【請求項５】
コントローラは、アナログ回路を含む請求項１記載のシステム。
【請求項６】
マイクロプロセッサは、バッテリマネージャである請求項４記載のシステム。
【請求項７】
全体的なｄＶ／ｄＳＯＣは、第１および第２リチウムイオンセルのうち少なくとも一方が、第１および第２リチウムイオンセルの他方よりも前に所定値に到達することを示すものである請求項１記載のシステム。
【請求項８】
コントローラは、バッテリパックの内部コンポーネントの温度を検出するように構成され、温度が所定の閾値を超えた場合、充電を終了させるようにした請求項１記載のシステム。
【請求項９】
温度は、サーミスタによって検出される請求項８記載のシステム。
【請求項１０】
第１および第２リチウムイオンセルは、ＬｉＦｅ１−ｙＭｎｙＰＯ４（ｙは、Ｍｎの種々の濃度を表す）を含む請求項１記載のシステム。
【請求項１１】
少なくとも第１リチウムイオンセルおよび第２リチウムイオンセルを含むバッテリパックであって、充電状態に関して関連する全体的な電圧変化レート（ｄＶ／ｄＳＯＣ）を有し、第１リチウムイオンセルは、関連する第１のｄＶ／ｄＳＯＣを有し、第２リチウムイオンセルは、関連する第２のｄＶ／ｄＳＯＣを有する、バッテリパックと、
セル単位ベースで個別に第１のｄＶ／ｄＳＯＣおよび第２のｄＶ／ｄＳＯＣを計算することなく、バッテリパックを全体として表す、全体的なｄＶ／ｄＳＯＣの計算に基づいてバッテリパックの全体的なｄＶ／ｄＳＯＣを決定するように動作する回路を含む充電器であって、バッテリパックの充電を少なくとも実施するように動作する充電器とを備え、
充電器はさらに、バッテリパックの全体的なｄＶ／ｄＳＯＣが所定のｄＶ／ｄＳＯＣに達した時点で、バッテリパックの充電を終了させるように動作し、
所定のｄＶ／ｄＳＯＣは、第１リチウムイオンセルと関連する第１のｄＶ／ｄＳＯＣおよび第２リチウムイオンセルと関連する第２のｄＶ／ｄＳＯＣのうちの１つ以上が、所定のレートを超えたことを示すものである、バッテリ充電器。
【請求項１２】
充電器は、ＡＣ電源またはＤＣ電源からの入力電圧を許容できる安定化スイッチング電源を含む請求項１１記載のバッテリ充電器。
【請求項１３】
電源は、マイクロプロセッサによって制御される請求項１２記載のバッテリ充電器。
【請求項１４】
マイクロプロセッサは、バッテリパックの電圧および電流の測定値に基づいて充電を終了させるようにした請求項１３記載のバッテリ充電器。
【請求項１５】
バッテリパックおよび充電器の少なくとも１つの温度を監視する温度センシング回路をさらに備える請求項１１記載のバッテリ充電器。
【請求項１６】
回路は、デジタルまたはアナログのコンバータ回路の少なくとも１つを含む請求項１３記載のバッテリ充電器。
【請求項１７】
マイクロプロセッサは、バッテリパックの直列電圧を全体として決定する電圧センシング回路と接続される請求項１３記載のバッテリ充電器。
【請求項１８】
バッテリパックの充電が、第１リチウムイオンセルの第１のｄＶ／ｄＳＯＣおよび第２リチウムイオンセルの第２のｄＶ／ｄＳＯＣのうちの１つ以上が所定レートを超えた状態でマイクロプロセッサによって終了される請求項１７記載のバッテリ充電器。
【請求項１９】
バッテリパックの温度が所定温度値を超えたことを決定した時点で、バッテリパックの充電を終了させる温度センシング回路をさらに備える請求項１７記載のバッテリ充電器。
【請求項２０】
少なくとも第１リチウムイオンセルおよび第２リチウムイオンセルのバッテリパックであって、充電状態に関して関連する全体的な電圧変化レート（ｄＶ／ｄＳＯＣ）を有し、第１リチウムイオンセルは、関連する第１のｄＶ／ｄＳＯＣを有し、第２リチウムイオンセルは、関連する第２のｄＶ／ｄＳＯＣを有する、バッテリパックを用意することと、
セル単位ベースで個別に第１のｄＶ／ｄＳＯＣおよび第２のｄＶ／ｄＳＯＣを検出することなく、バッテリパックを全体として表す、計算したｄＶ／ｄＳＯＣに基づいてバッテリパックと関連する全体的なｄＶ／ｄＳＯＣを検出することと、
バッテリパックを充電することと、
バッテリパックと関連する、検出した全体的なｄＶ／ｄＳＯＣを、所定のｄＶ／ｄＳＯＣと比較することと、ここで、所定のｄＶ／ｄＳＯＣは、第１リチウムイオンセルと関連する第１のｄＶ／ｄＳＯＣおよび第２リチウムイオンセルと関連する第２のｄＶ／ｄＳＯＣのうちの１つ以上が、所定のレートを超えたことを示すものであり、
比較に基づいてバッテリパックの充電を終了させることと、を含むバッテリパック充電方法。
【請求項２１】
検出した全体的なｄＶ／ｄＳＯＣが、所定のｄＶ／ｄＳＯＣと等しいかこれを超えた場合、バッテリパック充電の終了が生ずる請求項２０記載の方法。
【請求項２２】
バッテリパックの温度を検出することをさらに含む請求項２０記載の方法。
【請求項２３】
バッテリパックの温度に基づいて、充電が終了するようにした請求項２２記載の方法。
【外国語明細書】
2015073429.tif 000011
2015073429.tif 000012
2015073429.tif 000013
2015073429.tif 000014
2015073429.tif 000015
2015073429.tif 000016
2015073429.tif 000017
2015073429.tif 000018
2015073429.tif 000019
2015073429.tif 000020
2015073429.tif 000021
2015073429.tif 000022
2015073429.tif 000023
2015073429.tif 000024
2015073429.tif 000025
2015073429.tif 000026
2015073429.tif 000027
2015073429.tif 000028
2015073429.tif 000029
2015073429.tif 000030
2015073429.tif 000031
2015073429.tif 000032
2015073429.tif 000033
2015073429.tif 000034